【事件の表示】
　特許第２７７４２４０号「３次元被絵付物用絵付けシートの製造方法」の請求項１ないし２に係る特許に対する特許異議の申立てについて、次のとおり決定する。
【結論】
　特許第２７７４２４０号の請求項１ないし２に係る特許を取り消す。
【理由】
（１）手続きの経緯
　本件特許第２７７４２４０号の発明は、平成５年１２月２８日に出願され、平成１０年４月２４日に設定登録され、その後、特許異議の申立てがなされ、平成１１年３月２９日付け及び平成１１年７月６日付けで二度の取消理由通知がなされ、それぞれ指定期間内である平成１１年６月１５日付け及び平成１１年９月２７日付けで特許異議意見書が提出されたものである。
（２）本件発明
　本件特許第２７７４２４０号の請求項１乃至請求項２に係る発明は、特許明細書及び図面の記載からみて、その特許請求の範囲の請求項１乃至請求項２に記載された次の事項により特定されるとおりのものである。
特許請求の範囲
「【請求項１】
Ａ．ベースフィルム上に、３次元被絵付物に絵付けされる絵柄を有する層が形成された３次元被絵付物用絵付けシートの製造方法において、
Ｂ．３次元被絵付物に絵柄が形成された３次元絵付物の完成品サンプルを所定の視点から見た状態の被絵付物データに基づいて、３次元ＣＡＤで３次元被絵付物画像を作成する工程、
Ｃ．および、完成品サンプルを前記所定の視点から見た状態の絵柄データに基づいて、３次元ＣＡＤで絵柄画像を作成する工程を経た後、
Ｄ．つぎの工程を経ることを特徴とする３次元被絵付物用絵付けシートの製造方法。
Ｅ．（１）絵柄画像を、３次元ＣＡＤによって３次元被絵付物画像の３次元面に投影する工程
Ｆ．（２）３次元被絵付物画像の絵柄が投影された面を、３次元ＣＡＤによって平面状に２次元展開する工程
Ｇ．（３）２次元展開された絵柄画像の絵柄を、絵付けシートのベースフィルム上に形成し、試作用の３次元被絵付物用絵付けシートを作製する工程
Ｈ．（４）前記（３）の工程により得られた３次元被絵付物用絵付けシートを用いて、転写法あるいは射出成形同時絵付け法により、３次元絵付物の試作を行う工程
Ｉ．（５）前記（４）の工程によって得られた試作品の絵柄と完成品サンプルの絵柄とを比較し、絵柄の形状、寸法、配置などの諸条件を修正する工程
Ｊ．（６）修正された絵柄を、絵付けシートのベースフィルム上に形成する工程。
　【請求項２】
Ｋ．前記請求項１の工程（３）において、２次元展開された３次元被絵付物画像の絵柄を、転写材のベースフィルム上に、３次元ＣＡＤの出力装置によって形成する３次元被絵付物用絵付けシートの製造方法。」
　なお、項分けは、当審において便宜的に付した。
（３）当審における平成１１年７月６日付け取消理由通知の内容
　当審において通知した平成１１年７月６日付け取消理由通知は、平成１１年３月２９日付け取消理由通知においては、３次元ＣＡＤが周知であることを示す刊行物提示をしていなかったことから、この周知を示す刊行物を補填して、本件請求項１乃至請求項２に係る発明が、以下の刊行物１乃至刊行物１０の記載内容をもとにして、当業者が容易に発明をすることができたものとするものである。
（４）引用した刊行物及びその記載内容
刊行物１：特開平２−２４２４８０号公報
刊行物２：特開平５−３１４２４０号公報
刊行物３：特開平５−１６５９２３号公報
刊行物４：特開平４−３３７８７２号公報
刊行物５：特開平４−３０５７７３号公報
刊行物６：特開平４−２９６９７５号公報
刊行物７：特開平４−２４６７７９号公報
刊行物８：特開平３−１０５５６８号公報
刊行物９：特開平３−６５７７４号公報
刊行物１０：実願平３−１４９８８号（実開平４−１０８９８６号公報）のマイクロフィルム
刊行物１：
▲１▼特許請求の範囲（第１頁左下欄第５行〜第２頁右上欄第２行）には
「（１）複数の基準点をもった基準パターンが形成された二次元の絵柄フィルムを成型品に合わせて三次元立体状に成形したときに、前記基準パターンが歪むことにより得られる歪パターンの画像を読取るための歪パターン画像読取装置と、
　前記歪パターン画像読取装置で読取った画像から基準点の座標値を決定する画像処理部と、
　前記成形品に付与すべき絵柄を平面画像として入力する平面画像入力装置と、
　前記成形品の形状を表す三次元データを生成し、この三次元データと前記平面画像のデータとに基づき、前記成形品に前記平面画像を割り付けた状態を表す三次元データを生成し、更に、前記平面画像が割り付けられた前記成形品を所定方向に投影し、この投影画像に基づいて被補正絵柄を生成するＣＡＤ装置と、
　前記画像処理部から与えられた歪パターンについての基準点の座標値と、前記ＣＡＤ装置から与えられた被補正絵柄の座標値と、を記録するための第１座標系と、
　前記基準パターンについての基準点の座標値を記録するための第２座標系と、
　前記歪パターンにおける基準点と前記基準パターンにおける基準点との対応関係に基づいて、前記第１座標系上の絵柄の写像を前記第２座標系に求める写像演算装置と、
　前記第２座標系上に求まった写像を補正済絵柄として出力する補正済絵柄出力装置と、
　を備えることを特徴とする絵柄フィルム歪補正装置。
（２）複数の基準点をもった基準パターンが形成された二次元の絵柄フィルムを成型品に合わせて三次元立体状に成形したときに、前記基準パターンが歪むことにより得られる歪パターンの画像を読取るための歪パターン画像読取装置と、
　前記歪パターン画像読取装置で読取った画像から基準点の座標値を決定する画像処理部と、
　前記成形品の表面に所定の絵柄を割り付けた状態を表す三次元データを生成し、この絵柄が割り付けられた成形品を所定方向に投影し、この投影画像に基づいて被補正絵柄を生成するＣＡＤ装置と、
　前記画像処理部から与えられた歪パターンについての基準点の座標値と、前記ＣＡＤ装置から与えられた被補正絵柄の座標値と、を記録するための第１座標系と、
　前記基準パターンについての基準点の座標値を記録するための第２座標系と、
　前記歪パターンにおける基準点と前記基準パターンにおける基準点との対応関係に基づいて、前記第１座標系上の絵柄の写像を前記第２座標系に求める写像演算装置と、
　前記第２座標系上に求まった写像を補正済絵柄として出力する補正済絵柄出力装置と、
　を備えることを特徴とする絵柄フィルム歪補正装置。」と記載されている。
▲２▼〔産業上の利用分野〕に関する第２頁右上欄第５行〜第８行には、
「本発明は絵柄フィルム歪補正装置、特に、三次元曲面を有する成形物に絵柄、文字等を付与する場合に用いる絵柄フィルムの歪を補正する装置に関する。」と記載されている。
▲３▼〔従来の技術〕に関する第２頁右上欄第１０行〜同左下欄第６行には、
「近年、射出成形と同時に印刷フィルムを型の中に入れてインクだけを成形物に転写させる射出同時絵付法が普及している。この方法では、あらかじめ絵柄を印刷した絵柄フィルムを用意しておき、この絵柄フィルムを雄型と雌型との間に介挿し、絵柄を位置合わせした上で、雄型から樹脂を注入して成形物を生成するのである。熱によって絵柄フィルムは伸び、雌型に沿って変形し、成形物の生成と同時にその表面に絵柄が転写されるのである。
　このような射出同時絵付法では、絵柄フィルムの歪補正が必要になる。これは、前述のように、成形時に絵柄フィルムが伸びて変形するために、絵柄フィルム上の絵柄、文字などは成形物上では歪んで転写されるからである。従来、このような歪補正は、試作品に基づいて手作業で行っていた。」と記載されている。
▲４▼〔発明が解決しようとする課題〕に関する第２頁左下欄第８行〜１６行には、
「しかしながら、従来の手作業による歪補正では、手間と時間がかかるためコストが高くなるとともに、高品質の補正が不可能である。このような問題を解決するために、特願昭６３−２４３５４５号明細書や特願昭６３−２９０８９１号明細書には、新規な歪補正装置が提案されている。本発明はこれらの歪補正装置に更に改良を加え、短時間に高品質な補正を行うことのできる絵柄フィルム歪補正装置を提供することを目的とする。」と記載されている。
▲５▼〔作用〕に関する第３頁右上欄第１５行〜同左下欄第１４行には、
「本発明によれば、まずＣＡＤ装置によって成形品の三次元形状データが生成され、この成形品に絵柄を割り付けた状態の三次元データが生成され、更に、この三次元データに基づいて被補正絵柄が生成される。続いて、基準パターンの印刷された絵柄フィルムが成形品に合わせて成形される。この結果、絵柄フィルム上のパターンは歪むことになる。そこで第１座標系上において、この歪んだパターンに歪みのない被補正絵柄が重ね合わされる。この被補正絵柄は本発明の場合、ＣＡＤ装置から与えられることになる。一方、正規の基準パターンが第２座標系上に作成される。そして両座標系に作成された両パターンのそれぞれ対応する基準点の位置関係に基づいて、第１座標系上の絵柄の写像が第２座標系上に求められる。こうして得られた写像が、絵柄フィルムに印刷される。絵柄フィルム上の絵柄はそのままでは歪んでいるが、絵柄フィルムを成形品に合わせて成形すれば、絵柄フィルムが歪むかわりに付与された絵柄は歪みのない正規のものとなる。」と記載されている。
　これらの記載からして、当該刊行物に記載される内容は、本件請求項１乃至２に記載の発明と同一の技術分野である３次元被絵付物用絵付けシートの製造に関するものであり、従来手作業により行っていた絵柄の歪み補正作業をＣＡＤ装置に写像演算装置及び補正済み絵柄出力装置を組み合わせたシステム上で行うことで、短時間に高品質な補正を行うことを課題としており、更に、前記記載▲１▼において「前記成形品の形状を表す三次元データを生成し、この三次元データと前記平面画像のデータとに基づき、前記成形品に前記平面画像を割り付けた状態を表す三次元データを生成し、更に、前記平面画像が割り付けられた前記成形品を所定方向に投影し、この投影画像に基づいて被補正絵柄を生成するＣＡＤ装置」と記載されていることからして、このＣＡＤ装置において、３次元被絵付物画像の３次元面に投影する工程、及び３次元被絵付物画像の絵柄が投影された面を、平面に２次元展開する工程を有するものが把握できる。
▲６▼実施例に関する記載において、本願第１の発明で用いている装置の説明を行う箇所のＣＡＤ装置の機能に関して第４頁右下欄第１７行〜第５頁左下欄第７行には、
「ＣＡＤ装置の機能
　本願発明の特徴は、被補正絵柄をＣＡＤ装置１２で生成するようにした点にある。これは、成形品がより三次元的な形状をしており、この表面に絵柄を三次元的に割り付けるような場合に非常に有効である。ＣＡＤ装置１２としては、ごく一般的な装置を用いればよい。オペレータはこのＣＡＤ装置１２を用いて、次のような処理を行う。いま、三次元形状が定まっている成形品に、ロゴなどの平面画像を割り付ける場合を例にとって説明する。まず、オペレータは、ＣＡＤ装置１２に対して、成形品の三次元形状を定義する。すなわち，ＣＡＤ装置内で、成形品の形状を表す三次元データが生成されることになり、たとえば第６図に示すように、成形品のイメージ２１がＣＡＤ装置内に形成されることになる。
　続いて、オペレータはロゴなどの平面画像を、平面画像入力装置１２ａから入力する。この平面画像入力１２ａは、ＣＡＤ装置１２に対する画像入力装置であり、具体的にはスキャナ、ＣＣＤカメラ、ＩＴＶカメラなどの装置であり、歪パターン画像読取装置１１を用いることもできる。続いて、ＣＡＤ装置１２内で、この平面画像を成形品のイメージ２１に割り付ける。これはたとえば次のようにすればよい。まず、成形品のイメージ２１に対して所定の方向に視線ベクトル２２を定義する。この視線ベクトル２２は、成形品を最も普通に見る方向、すなわち成形品の正面といえる方向に決めればよい。そして、この視線ベクトル２２に対して垂直な平面内に、入力した平面画像２３をもってきて、この平面画像２３上の絵柄を視線ベクトル２２の方向に沿って、成形品のイメージ２１の表面に投影するのである。こうして、表面に絵柄が付された成形品のイメージができる。また、視線ベクトル２２と平面画像２３は、必ずしも垂直である必要はなく、任意の角度に変化させてもよい。もちろん、これはＣＡＤ装置１２内の演算として行われることであり、実際には、成形品に平面画像を割り付けた状態を表す三次元データが生成されるわけである。
　この装置の利点は、このように絵柄を割り付けた状態の成形品イメージを、ディスプレイに表示したり、ＣＡＤ装置１２からハードコピーによる出力をさせたりすることができる点である。オペレータはディスプレイまたはハードコピーを見て、絵柄の割り付け状態を確認することができる。
　更に、あらかじめ用意された絵柄（平面画像２３）が非常に複雑な形状である場合、ＣＡＤで線を１本１本入力するよりも、絵柄全体をラスター画像として入力し、これを割り付ける方がオペレーションは容易になる。」と記載されている。
▲７▼これに続いて、「被補正絵柄及び補正済絵柄の作成方法」についてさらに第５頁左下欄第８行〜第６頁左上欄第１行に、
「さて、次に第１座標系に入力される被補正絵柄の作成方法について説明する、まず、第２図に示す成形品９のように、比較的厚みがなく、側面に絵柄のないものであれば、上面から見た絵柄だけを考えていればよいが、第６図に示すような成形品のイメージ２１では、より三次元的な形状をしているため、側面にも絵柄が割り付けられ、上面から見た絵柄を考えるだけでは側面の絵柄が一方向に縮小されて正確な表示ができず不十分である。そこで、この成形品のイメージ２１の表面に割り付けられた絵柄をいくつかの面に投影する。この実施例では、第７図（ａ）に示すような成形品のイメージ２１を、５つの方向ＡＡ，ＢＢ，ＣＣ，ＤＤ，ＥＥに投影する。たとえば、方向ＢＢに投影すれば、投影平面ＴＢへの投影像が得られ、この投影像は、面Ｂの絵柄を最もよく表しているものにある。結局、５つの投影平面ＴＡ〜ＴＥ（図ではＴＢのみ示す）を用いて５つの投影像が得られることになる。なお、各投影平面は必ずしも直交する関係にある必要はなく、たとえば第７図（ｂ）の投影平面ＴＢ２のように、面Ｂに平行な投影平面図をとって、方向ＢＢ２に投影することも可能である。このようにして得られた５つの投影像は、それぞれ別個に被補正絵柄として歪補正処理部１５に与えられる。一方、歪パターン画像読取装置１１は、実際の成形品について同様の５つの投影面に歪パターンを投影し、５つの歪パターンを入力する。こうして、歪補正処理部１５では、５組の歪パターンおよび被補正絵柄について別個に歪補正を行い、５つの補正済絵柄を得る。最後にこの５つの補正済絵柄を合成することによって、最終的な補正済絵柄が得られる。この合成処理については、特願昭６３−２９０８９１号明細書に詳述されているので、詳しくは該明細書を参照されたい。」と記載されている。
▲８▼また、第２の発明について第６頁左上欄第３行〜第１３行に、
「本願第２の発明
　以上、本願第１の発明を一実施例について説明した。続いて、本願第２の発明を説明する。本願第２の発明は、第１図に示す構成から、平面画像入力装置１２ａを取り去ったものである。本願第１の発明では、ロゴなどの絵柄を平面画像入力装置１２ａによって取り込み、これをＣＡＤ装置１２で処理していたが、本願第２の発明では、ＣＡＤ装置１２によって絵柄自体を作成することになる。このようにして作成した絵柄は、前述のように、ディスプレイまたはハードコピーで確認することができる。」と記載されている。
▲９▼〔発明の効果〕については、第６頁右下欄第５行〜第１５行に、
「以上のとおり本発明によれば、ＣＡＤ装置によって被補正絵柄を生成し、基準パターンの印刷された絵柄フィルムを成形品に合わせて成形して歪みパターンを得て、この歪みパターンに被補正絵柄を第１座標系上で重ね合わせ、基準パターンが作成された第２座標系上に第１座標系上の絵柄の写像を求め、この写像を補正済絵柄として用いるようにしたため、絵柄フィルムの補正、特に被補正絵柄の作成を容易に、かつ、正確に行うことができるようになる。」と記載されている。
　これらの記載からみて、当該刊行物に記載される技術内容では、被補正絵柄はＣＡＤ装置上で作成されることが明確であり、この際に該ＣＡＤ装置においては、「絵柄を割り付けた状態の成形品イメージを、ディスプレイに表示したり、ＣＡＤ装置１２からハードコピーによる出力をさせたりすることができ」、「オペレータはディスプレイまたはハードコピーを見て、絵柄の割り付け状態を確認することができる」とされる。
　そして、最終的な補正済絵柄を得るべく、ＣＡＤ装置で適宜の視線からみた投影データとして作成された投影像データを被補正絵柄として、歪補正処理部１５に与え、歪パターン画像読取装置１１からの歪パターンを用いて別個に歪補正を行って補正済絵柄を得、複数の補正済絵柄が存在する場合には必要に応じてこれらを合成して最終的な補正済絵柄を得て、補正済絵柄出力装置１７から出力として得るものとなっている。
　なお、最終的な合成処理自体は、特願昭６３−２９０８９１号明細書に詳述されていると指摘されており、この出願の明細書は特開平２−２７４７７０６号公報として公開されており、当業者にとって公知の内容といえる。
　したがって、試作用の３次元被絵付物用絵付シートを作製するに際して、ＣＡＤ装置１２から得られた２次元展開された絵柄を直接試作用の３次元被絵付物用絵付シートとして用いるものとはいえず、これを被補正絵柄として用いた歪補正処理部での歪補正を行う工程が設けられていることが把握できる。
　してみると、当該刊行物１の記載内容から、「
Ａ．ベースフィルム上に、３次元被絵付物に絵付けされる絵柄を有する層が形成された３次元被絵付物用絵付けシートの製造方法において、
Ｂ．３次元被絵付物に絵柄が形成された３次元絵付物の完成品サンプルを所定の視点から見た状態の被絵付物データに基づいて、ＣＡＤで３次元被絵付物画像を作成する工程、
Ｃ．および、完成品サンプルを前記所定の視点から見た状態の絵柄データに基づいて、ＣＡＤで絵柄画像を作成する工程を経た後、
Ｄ’．つぎの工程を経る３次元被絵付物用絵付けシートの製造方法。
Ｅ’．（１）絵柄画像を、ＣＡＤによって３次元被絵付物画像の３次元面に投影する工程
Ｆ’．（２）３次元被絵付物画像の絵柄が投影された面を、ＣＡＤによって平面状に２次元展開する工程
Ｆ’’．（２’）平面状に２次元展開された絵柄を被補正絵柄として、歪補正処理部で歪補正を行う工程
Ｇ．（３）２次元展開された絵柄画像の絵柄を、絵付けシートのベースフィルム上に形成し、試作用の３次元被絵付物用絵付けシートを作製する工程
Ｈ．（４）前記（３）の工程により得られた３次元被絵付物用絵付けシートを用いて、転写法あるいは射出成形同時絵付け法により、３次元絵付物の試作を行う工程
Ｉ．（５）前記（４）の工程によって得られた試作品の絵柄と完成品サンプルの絵柄とを比較し、絵柄の形状、寸法、配置などの諸条件を修正する工程
Ｊ．（６）修正された絵柄を、絵付けシートのベースフィルム上に形成する工程。」が把握できる。
刊行物２：三次元形状データ表現方法に関するものである。
刊行物３：立体形状モデリング方式に関するものである。
刊行物４：三次元モデル作成装置に関するものである。
刊行物５：ＣＡＤ装置の３次元表示方法に関するものである。
刊行物６：３次元図形データ発生装置に関するものである。
刊行物７：３次元境界適合メッシュ分割における曲面の設定方法及びその装置に関するものである。
刊行物８：２次元３次元統合型ＣＡＤシステムに関するものである。
刊行物９：三次元測定結果表示装置に関するものである。
刊行物１０：円筒胴の自動長手開先位置決め装置に関するものである。
　これら刊行物２乃至刊行物１０からは、３次元表示を行い得るいわゆる３次元ＣＡＤが、本件出願前にすでに周知であることが把握できる。
（５）本件各請求項に係る発明と引用した刊行物１記載の発明との対比・判断
（本件請求項１に係る発明について）
　本件請求項１に係る発明と刊行物１から把握される発明とを対比すると、両者は、
前記に項分けして示した事項からみて、「Ａ．ベースフィルム上に、３次元被絵付物に絵付けされる絵柄を有する層が形成された３次元絵付物用シートの製造方法」において、ＣＡＤ装置を用いて３次元被絵付物用絵付けシートを製造する方法を開示している点では共通している。
　しかしながら、以下の点で両者は相違している。
相違点１：
　用いられているＣＡＤ装置が、本件請求項１に係る発明ではすべての工程で３次元ＣＡＤであると限定されているのに対して、刊行物１から把握される発明においては、３次元ＣＡＤと呼び得るＣＡＤを用いているのか不明である点。
相違点２：
　本件請求項１に係る発明では、
「Ｄ．つぎの工程を経る」とされる工程の内、
「Ｅ．（１）絵柄画像を、３次元ＣＡＤによって３次元被絵付物画像の３次元面に投影する工程」に続く
「Ｆ．（２）３次元被絵付物画像の絵柄が投影された面を、３次元ＣＡＤによって平面状に２次元展開する工程」では、「平面状に２次元展開する」ことは「３次元ＣＡＤ」で行うことを限定しているのに対して、
刊行物１から把握される発明においては、
「Ｄ’．つぎの工程を経る」と把握できる工程の内、「Ｅ’．（１）絵柄画像を、ＣＡＤによって３次元被絵付物画像の３次元面に投影する工程」を有するものの、これに続く工程として「Ｆ’．（２）３次元被絵付物画像の絵柄が投影された面を、ＣＡＤによって平面状に２次元展開する工程」と「Ｆ’’．（２’）平面状に２次元展開された絵柄を被補正絵柄として、歪補正処理部で歪補正を行う工程」の２つの工程を有する点。
　相違点１について検討する。
　確かに、刊行物１から把握できる発明においては、前記の「Ｆ’．（２）３次元被絵付物画像の絵柄が投影された面を、ＣＡＤによって平面状に２次元展開する工程」で得られた絵柄データを直接試作用の３次元被絵付物用絵付シートとして用いるものではない。
　刊行物１から把握できる発明では、この「Ｆ’．（２）」の工程でＣＡＤ装置を用いて得られた絵柄データを、ＣＡＤ装置とは別に設けられると解釈することが自然であるところの歪補正処理部において歪補正する工程、すなわち「Ｆ’’．（２’）」の工程が必要とされる。
　したがって、相違点１として指摘した、刊行物１から把握できるＣＡＤ装置が、３次元表示あるいはハードコピーを出力することが可能であるとの記載があるとしても、本件請求項１に係る発明で用いられている３次元ＣＡＤに直ちに相当するものとはいえない。
　しかしながら、この相違点１が実質的な相違といい得るか否かは、次の相違点２において再度検討する。
　相違点２について検討する。
　本件特許明細書中には、ＣＡＤに関しては、通常ＣＡＤと呼ばれるものが何であるかについて段落【００２２】に、そして、３次元ＣＡＤについての説明は、段落【００２３】乃至【００２４】に記載され、また、この３次元ＣＡＤを用いた３次元からの２次元展開については、段落【００２５】乃至【００３０】に概念が説明されている。
　しかし、これら本件特許明細書の記載を検討しても、「３次元を２次元に３次元ＣＡＤで展開」するに際して用いられる手法を明確に記載するものではなく、要するに３次元ＣＡＤが備えている機能を適宜用いるものとしか記載されていない。
　したがって、本件請求項１に係る発明は、「３次元を２次元に３次元ＣＡＤで展開」する具体的手法を提言するものではなく、「Ａ．ベースフィルム上に、３次元被絵付物に絵付けされる絵柄を有する層が形成された３次元絵付物用絵付けシートの製造方法」に対する３次元ＣＡＤの適用を示唆するにすぎないものといえる。
　これに対して、刊行物１に記載されるところの製造方法においては、本件請求項１に係る発明における課題と同じく、従来手作業で行っていたことによる煩雑さを解消すべく、また、特願昭６３−２４３５４５号（特開平２−０９０２７５号公報参照）あるいは特願昭６３−２９０８９１（特開平２−１３６９７９号公報参照）において提言される歪み補正装置に比較して改良された絵柄歪み補正装置を提供することを課題とし、この歪み補正を如何にして行うかが詳細に開示されている。
　また、前記の刊行物２乃至刊行物１０にみられるように、３次元データを扱い得るいわゆる３次元ＣＡＤは、本件出願前にすでに周知であることが把握できる。
　してみると、本件請求項１に係る発明は、刊行物１から把握される技術内容を実現するに際して、出願時点において周知である３次元ＣＡＤを用いたに過ぎないものであり、たとえ相違点１として指摘したようにＣＡＤ装置が相当関係にないとしても、これが実質的な相違を形成し得るものとはいえず、本件請求項１に記載の発明の属する技術の分野に於ける通常の知識を有する者が容易に推考し得たものである。
　しかも、本件請求項１に記載の発明の効果も、刊行物１に記載される課題を前提として、刊行物２乃至刊行物１０に記載される３次元ＣＡＤを用いたことから、予測できる効果以上のものが期待し得るものともいえない。
（本件請求項２に係る発明について）
　本件請求項２に係る発明では、２次元展開された３次元被絵付物画像の絵柄を、転写材のベースフィルム上に３次元ＣＡＤの出力装置によって形成される点を限定内容とした点で、本件請求項１に係る発明とは異なっている。
　しかしながら、通常ＣＡＤ装置は出力装置を備えており、この出力装置を用いること自体は、刊行物１から把握される発明においても「Ｆ’．（２）」の工程で行っており、この限定により格別な相違を形成し得るものとはいえない。
　したがって、本件請求項１に係る発明に対するのと同様の理由で、本件請求項２に係る発明も、本件出願前にすでに周知である前記の刊行物２乃至刊行物１０に記載されるところの３次元データを扱い得るいわゆる３次元ＣＡＤを用いて、刊行物１から把握される技術内容を実現したに過ぎないものといえ、本件請求項２に記載の発明の属する技術の分野に於ける通常の知識を有する者が容易に推考し得るものである。
　しかも、本件請求項２に記載の発明の効果も、刊行物１に記載される技術内容に、刊行物２乃至刊行物１０に記載される周知の３次元ＣＡＤを用いたことから、予測できる以上の効果が期待し得るものともいえない。
　なお、権利者は、本件請求項１に係る発明あるいは本件請求項１に係る発明を実施することで、「３次元被絵付物用絵付シートの最初の試作品における絵柄等の位置ずれが極端に大きくなるのを防止し、その後の修正回数を減らし時間と手間を減らすことが可能という、格別な作用効果を得られ、これは本件特許明細書の段落【０００６】及び【００４０】乃至【００４３】に明確に記載されている旨、主張する。
　しかしながら、本件特許明細書において指摘される箇所の作用効果は、あくまでも従来の手作業を前提とする工程に比較して、手間と時間とコストを改善し得ることを指摘するものであって、刊行物１等のＣＡＤ処理を行うことを前提とした処理と比較するものではない。
　他方、刊行物１に記載される発明においても、手作業を前提とする工程に比較して手間と時間とコストを改善し得ることが、その作用効果として掲げられている。
　したがって、本件請求項１に係る発明が、刊行物１に記載される発明と刊行物２乃至刊行物１０に記載される周知事項を適用して容易に発明をすることができたものとの比較において格別な作用効果を奏するものとはいえないから、権利者の主張は採用できない。
（６）むすび
　以上のとおり、本件請求項１乃至請求項２に係る各発明は、刊行物１に記載された発明及び刊行物２乃至刊行物１０に記載される周知技術に基いて、その発明の属する技術の分野における通常の知識を有する者が容易に発明をすることができたものであるから、特許法第２９条第２項の規定により特許を受けることができないものであり、本件請求項１乃至請求項２に係る特許は、特許法第１１３条第１項第２号の規定により取り消すべきものである。
　よって、結論のとおり決定する。
【異議決定日】
平成１１年１１月２２日（１９９９．１１．２２）